(57)【要約】【課題】空調レターンの大きさを所定の大きさに容易かつ正確に設定することができる照明装置を提供する。【解決手段】照明装置１００は、上下方向が開口し、対向する１組の枠板１１及び対向する１組の枠板１２で囲まれ、光源部２０を収容する収容枠１０、２つの光源部２０、一方の光源部２０の上側に取り付けられた電源部３０などを備える。枠板１１の両端部には、収容枠１０をＴバー１に載せ掛けるための取付金具１４を設けてある。枠板１１の両端部には、複数の取付孔１１１を所定長離隔させて形成してある。光源部２０は、４つの側面部２１で囲まれた箱状をなす。短手側の側面部２１の中央部には、ねじを挿通する複数の挿通孔２１１を形成してある。挿通孔２１１の離隔寸法は、取付孔１１１の離隔寸法と同一にしてある。【選択図】図２
2014086356.tif 000002
【特許請求の範囲】
【請求項１】
天井に設けられた格子部が形成する矩形状の開口部の一部を覆うように取り付けられる光源部と、
該光源部の側面部と前記格子部の間に形成される空気の流入口の大きさを所定の複数の大きさから選択可能にすべく前記格子部に対する前記光源部の位置を決定する位置決め部と
を備えることを特徴とする照明装置。
【請求項２】
前記光源部は、箱状をなし、
四方を囲む枠板内に前記光源部を収容し、前記格子部に取り付けられる収容枠を備え、
前記位置決め部は、
前記光源部と枠板との間隔を所定の距離にして前記光源部の位置を決定するようにしてあることを特徴とする請求項１に記載の照明装置。
【請求項３】
前記光源部は、箱状をなし、
前記光源部を間にして対設され、前記格子部に取り付けられる長方形状の側板を備え、
前記位置決め部は、
前記側板の長手方向に沿って前記光源部の位置を決定するようにしてあることを特徴とする請求項１に記載の照明装置。
【請求項４】
前記光源部は、直方体状の箱状をなし、
前記光源部の一対の側面部から外側に突出するように設けられ、前記光源部を前記格子部に取り付ける取付部材を備え、
前記位置決め部は、
前記側面部に平行に設けられ、前記光源部の移動を規制すべく前記側面部から突出する規制部材を有し、
該規制部材の突出長を所定の長さにして前記規制部材の端部を前記格子部に当接させることで前記光源部の位置を決定するようにしてあることを特徴とする請求項１に記載の照明装置。
【請求項５】
前記光源部は、
ねじを挿通する複数の挿通孔を有し、
前記位置決め部は、
前記挿通孔に位置合わせ可能であって、前記光源部を取り付けるための複数の取付孔を所定長離隔させて、前記収容枠、側板又は規制部材のいずれかに形成してあることを特徴とする請求項２から請求項４までのいずれか１項に記載の照明装置。
【発明の詳細な説明】
【技術分野】
【０００１】
本発明は、照明装置に関し、特に空調レターンを有する照明装置に関する。
【背景技術】
【０００２】
近年、複雑化、多様化する高層ビルやインテリジェントビルなどでは、省施工性、快適性、経済性、安全性あるいはレイアウトの自由度といった観点から、システム天井が採用されている。このシステム天井は、天井に金属製のＴバー（骨組み）を格子状に施設し、施設したＴバーの上に天井仕上げ材を載せて施工するものである。
【０００３】
また、このようなシステム天井では、照明設備とそれ以外のスプリンクラー、空調、スピーカー、非常用照明器具などの各種設備とを一体化してコンパクトにレイアウトする要望が強く、また、照明器具の一部に空調レターンを設けた照明装置も開発されている。
【０００４】
このようなシステム天井に設置されるシステム天井用の照明装置としては、例えば、器具本体の側面部に取付部を設け、当該取付部を格子状に配列された天井支持バー（Ｔバー）の上に載せ掛けられて天井支持バーに固定するようにしている（特許文献１参照）。
【先行技術文献】
【特許文献】
【０００５】
【特許文献１】特開２００４−３５５８３０号公報
【発明の概要】
【発明が解決しようとする課題】
【０００６】
しかしながら、特許文献１に開示された照明装置では、器具本体の取付部をＴバーに載せ掛けて固定するようにしてあるので、Ｔバー上の任意の位置に器具本体を取り付けることができ、ランプの配置変更を自由自在に行うことができるものの、Ｔバーに取り付けた器具本体の位置に応じて空気の流入口である空調レターンの大きさが変わるため、空調レターンの大きさ（例えば、流入口の寸法、面積など）を予め定められた大きさに設定することが困難であるという問題がある。一方で、照明装置の設置場所、設置環境に応じて、空調レターンの大きさを所定の大きさに変更したいという要望もある。
【０００７】
本発明は斯かる事情に鑑みてなされたものであり、空調レターンの大きさを所定の大きさに容易かつ正確に設定することができる照明装置を提供することを目的とする。
【課題を解決するための手段】
【０００８】
本発明に係る照明装置は、天井に設けられた格子部が形成する矩形状の開口部の一部を覆うように取り付けられる光源部と、該光源部の側面部と前記格子部の間に形成される空気の流入口の大きさを所定の複数の大きさから選択可能にすべく前記格子部に対する前記光源部の位置を決定する位置決め部とを備えることを特徴とする。
【０００９】
本発明に係る照明装置は、前記光源部は、箱状をなし、四方を囲む枠板内に前記光源部を収容し、前記格子部に取り付けられる収容枠を備え、前記位置決め部は、前記光源部と枠板との間隔を所定の距離にして前記光源部の位置を決定するようにしてあることを特徴とする。
【００１０】
本発明に係る照明装置は、前記光源部は、箱状をなし、前記光源部を間にして対設され、前記格子部に取り付けられる長方形状の側板を備え、前記位置決め部は、前記側板の長手方向に沿って前記光源部の位置を決定するようにしてあることを特徴とする。
【００１１】
本発明に係る照明装置は、前記光源部は、直方体状の箱状をなし、前記光源部の一対の側面部から外側に突出するように設けられ、前記光源部を前記格子部に取り付ける取付部材を備え、前記位置決め部は、前記側面部に平行に設けられ、前記光源部の移動を規制すべく前記側面部から突出する規制部材を有し、該規制部材の突出長を所定の長さにして前記規制部材の端部を前記格子部に当接させることで前記光源部の位置を決定するようにしてあることを特徴とする。
【００１２】
本発明に係る照明装置は、前記光源部は、ねじを挿通する複数の挿通孔を有し、前記位置決め部は、前記挿通孔に位置合わせ可能であって、前記光源部を取り付けるための複数の取付孔を所定長離隔させて、前記収容枠、側板又は規制部材のいずれかに形成してあることを特徴とする。
【発明の効果】
【００１３】
本発明によれば、空調レターンの大きさを所定の大きさに容易かつ正確に設定することができる。
【図面の簡単な説明】
【００１４】
【図１】実施の形態１の照明装置の設置例を示す説明図である。
【図２】実施の形態１の照明装置の構成の一例を示す分解斜視図である。
【図３】実施の形態１の照明装置の構成の一例を示す平面図である。
【図４】図３のＩＶ−ＩＶ線から見た断面図である。
【図５】図３のＶ−Ｖ線から見た側面図である。
【図６】照明装置の空調レターンの大きさの第１例を示す説明図である。
【図７】照明装置の空調レターンの大きさの第２例を示す説明図である。
【図８】実施の形態２の照明装置の構成の一例を示す分解斜視図である。
【図９】実施の形態３の照明装置の構成の一例を示す分解斜視図である。
【図１０】遮蔽板の取付状態の一例を示す説明図である。
【図１１】側板の他の例を示す説明図である。
【図１２】実施の形態４の照明装置の構成の一例を示す外観斜視図である。
【図１３】実施の形態４の照明装置を持ち上げた状態を示す外観斜視図である。
【図１４】実施の形態４の照明装置を持ち上げた状態の要部断面図である。
【図１５】実施の形態４の照明装置を取り付けた状態を示す外観斜視図である。
【図１６】実施の形態４の照明装置を取り付けた状態の要部断面図である。
【図１７】実施の形態５の照明装置の構成の一例を示す外観斜視図である。
【図１８】実施の形態５の照明装置の空調レターンの大きさの設定方法の一例を示す説明図である。
【図１９】実施の形態５の照明装置の要部の他の第１例を示す説明図である。
【図２０】実施の形態５の照明装置の要部の他の第２例を示す説明図である。
【図２１】実施の形態５の照明装置の要部の他の第３例を示す説明図である。
【図２２】実施の形態６の照明装置の構成の一例を示す平面図である。
【図２３】実施の形態６の照明装置のＴバーへの取付方法の一例を示す説明図である。
【図２４】実施の形態６の照明装置のＴバーへの取付方法の一例を示す説明図である。
【図２５】実施の形態６の照明装置のＴバーへの取付方法の一例を示す説明図である。
【発明を実施するための形態】
【００１５】
（実施の形態１）
以下、本発明をその実施の形態を示す図面に基づいて説明する。図１は実施の形態１の照明装置１００の設置例を示す説明図である。図１に示すように、金属製のＴバー１（骨組み）を格子状に施設して吊りボルト２に固定し、照明装置１００は、施設したＴバー１の所要の位置に取り付けることができる。格子部としての格子状に施設されたＴバー１が矩形状の開口部を形成する。また、施設したＴバー上には天井仕上げ材を載せている。そして、照明装置１００には、他の設備用の設備プレート（例えば、空調機器など）を取り付けることができる構成にしてあり、照明設備と他の設備が一体となって天井に配置される。また、後述するように、照明装置１００には、空気の流入口である空調レターンが設けられてあり、室内の空気を照明装置１００の空調レターンを介して天井裏（例えば、空調機の空気の流入口）へ導くことができる。
【００１６】
図２は実施の形態１の照明装置１００の構成の一例を示す分解斜視図である。照明装置１００は、上下方向（縦方向）が開口し、水平方向（横方向）の四方を囲み、対向する１組の枠板１１及び対向する１組の枠板１２からなり、後述の光源部を収容する収容枠１０、収容枠１０に収容される２つの光源部２０、一方の光源部２０の上側に取り付けられた電源部３０などを備える。照明装置１００の枠板１１、１２で囲まれた下側の開口（開口部）は、光源部２０、後述の設備プレート等が取り付けられることにより、当該開口部の一部が塞がれ、残りの開口部である光源部で塞がれていない部分が空調レターンとなる。つまり空調レターンは、格子部としてのＴバー１が形成する開口部のうち、Ｔバー１と光源部との間に形成される空気の流入口である。収容枠１０は、各光源部２０を支持する支持部としての機能を有する。
【００１７】
電源部３０は、各光源部２０へ所要の電力を供給する。電源部３０は、例えば、交流電圧を所定の直流電圧に変換し、所要の電力をＬＥＤモジュールへ供給する電源回路、ＬＥＤチップの発光量を制御して調光する調光回路などを備える。
【００１８】
各枠板１１、１２は、矩形状（例えば、長方形状）をなし、各枠板１１、１２を４辺状になすことにより、収容枠１０は、平面視が矩形状をなしている。
【００１９】
各枠板１１の両端部には、収容枠１０をＴバー１に載せ掛けるための取付金具１４を設けてあり、各枠板１１の略中央部には、収容枠１０をＴバー１に載せ掛けるための取付金具１３を設けてある。取付金具１３は、金属製の板の両端側をお互いに反対向きに略Ｌ字状に屈曲してあり、一方の屈曲部を枠板１１に当接して固定し、他方の屈曲部と枠板１１との間にＴバー１を挟み込むようにしてある。取付金具１４の構造も取付金具１３と同様である。なお、図２の例では、各枠板１１に取付金具１３と、２つの取付金具１４とを設ける構成であるが、取付金具１４を省略することもできる。
【００２０】
各枠板１１の両端部には、複数の取付孔１１１を所定長離隔させて形成してある。取付孔１１１は、光源部２０の取付位置を決定する位置決め部として機能する。なお、図２の例では、取付孔１１１を３つ並べて形成してあるが、取付孔１１１の数は３つに限定されるものではなく、後述のように、光源部２０の取付位置を所要数の位置の中から選択するのに必要な数だけ形成することができる。
【００２１】
各光源部２０は、ＬＥＤチップが基板に実装されたＬＥＤモジュールを備え（いずれも不図示）、４つの側面部２１で囲まれた箱状をなす。すなわち、光源部２０は、平面視（前面視）が長方形状をなし、光源部２０の一面（前面）には、ＬＥＤチップからの光を透過し、発光面としての透光板２２を設けている。
【００２２】
４つの側面部２１のうち、長手側の側面部２１は、枠板１２と略同じ長さを有する。短手側の側面部２１の中央部には、ねじを挿通する複数の挿通孔２１１を形成してある。挿通孔２１１の離隔寸法は、前述の取付孔１１１の離隔寸法と同一にしてある。挿通孔２１１は、光源部２０の取付位置を決定する位置決め部として機能する。すなわち、光源部２０の挿通孔２１１と枠板１１の取付孔１１１とはお互いに位置合わせをすることができる。図２の例では、３つの取付孔１１１のうちの近接する２つの取付孔１１１を選択し、選択した２つの取付孔１１１と２つの挿通孔２１１と位置合わせすることにより、光源部２０の枠板１１の長手方向に沿った位置、すなわち、光源部２０と、光源部２０に対向する枠板１２との間隔を所定の距離に設定することができる。これにより、Ｔバー１に対する光源部２０の位置を決定する。なお、図２に例示するように、枠板１１の取付孔１１１を選択可能な孔とする構成に代えて、光源部２０の側面部２１に形成した複数の挿通孔２１１を選択可能な孔とすることもできる。
【００２３】
２つの光源部２０が収容枠１０に収容された状態で、対向する長手側の側面部２１の下側縁辺には、適長幅の鍔部２３を側面部２１の長手方向に沿って設けてある。２つの光源部２０の間の開口には、不図示の矩形状の設備プレートを装着することができ、設備プレートの両側縁部を各鍔部２３に載置することにより、光源部２０間に設備プレートを容易に取り付けることができる。
【００２４】
図３は実施の形態１の照明装置１００の構成の一例を示す平面図であり、図４は図３のＩＶ−ＩＶ線から見た断面図であり、図５は図３のＶ−Ｖ線から見た側面図である。格子状に施設されたＴバー１には、平面視が矩形状（例えば、正方形状）の照明装置１００を取り付けることができる。各光源部２０は、矩形状の透光板２２を設けている。また、光源部２０の間には、設備プレート５１を設けている。なお、設備プレート５１は、光源部２０間の開口を覆うだけの板体でもよく、スプリンクラー、空調機器、スピーカー、非常用照明器具などの設備が取り付けられた板体でもよい。
【００２５】
図４に示すように、取付金具１３は、金属製の板の両端側をお互いに反対向きに略Ｌ字状に屈曲してあり、一方の屈曲部１３１を枠板１１に当接して固定し、他方の屈曲部１３２と枠板１１との間にＴバー１を挟み込むようにしてある。屈曲部１３２の端部１３３は、略Ｖ字状に屈曲してあり、Ｔバー１の上端部に係止するようしてある。これより、照明装置１００が地震などの振動で上方に移動した場合でも、取付金具１３がＴバー１から離脱しないようにしてある。
【００２６】
光源部２０の側面部２１と、当該側面部２１と対向する収容枠１０の枠板１２との間には、光源部２０に隣接した空調レターン５０を設けている。空調レターン５０は、収容枠１０がなす開口部のうち、光源部２０の外側の側面部２１と枠板１２との間に形成される空間である。図３の例では、空調レターン５０は、矩形状をなし、長さ寸法は、光源部２０の長さと略同等である。図３及び図５に示すように、空調レターン５０の幅寸法ｄは、前述の取付孔１１１と挿通孔２１１との位置合わせを行ってねじ１１２を締めつけることで、所定の長さを選択して設定することができる。空調レターン５０の幅寸法ｄを設定することにより、空調レターンの大きさ（例えば、開口面積）を設定することができる。
【００２７】
図６は照明装置１００の空調レターン５０の大きさの第１例を示す説明図であり、図７は照明装置１００の空調レターン５０の大きさの第２例を示す説明図である。図６の例は、空調レターン５０のサイズを大きく設定する場合を示す。図６に示すように、収容枠１０に光源部２０を取り付ける場合、３つ並んだ取付孔１１１のうち、枠板１１の中央寄りの２つの取付孔１１１を選択して、取付孔１１１及び挿通孔（２１１）にねじ１１２を挿通して締結することにより、空調レターン５０の幅寸法ｄ１を所定寸法のうち比較的大きな寸法にすることができる。
【００２８】
また、図７に示すように、収容枠１０に光源部２０を取り付ける場合、３つ並んだ取付孔１１１のうち、枠板１１の端寄りの２つの取付孔１１１を選択して、取付孔１１１及び挿通孔（２１１）にねじ１１２を挿通して締結することにより、空調レターン５０の幅寸法ｄ２（＜ｄ１）を所定寸法のうち比較的小さな寸法にすることができる。
【００２９】
上述のように、光源部２０、枠板１１、１２で囲まれた開口部、当該開口部に隣接させた状態で光源部２０を支持して収容する収容枠１０、光源部２０（及び設備プレート５１）で塞がれた開口部の残りである空調レターン５０の大きさを所定の複数の大きさから選択可能にすべく光源部２０の位置を決定する位置決め部としての取付孔１１１及び挿通孔２１１などを備えることにより、空調レターンの大きさを所定に大きさに容易に設定することができる。
【００３０】
また、光源部２０は、箱状をなし、枠板１１、１２で囲まれ、光源部２０を収容する支持部としての収容枠１０を有する。そして、光源部２０と枠板１２との間隔を所定の距離にして光源部２０の位置を決定することにより、空調レターンの大きさを所定に大きさに容易に設定することができる。
【００３１】
（実施の形態２）
図８は実施の形態２の照明装置１２０の構成の一例を示す分解斜視図である。実施の形態１との相違点は、収容枠１０に代えて、長方形状の側板１５を備える点である。図８に示すように、照明装置１２０は、収容枠１０に代えて、各光源部２０を間にして対設した一対の側板１５を備える。
【００３２】
図８に示すように、側板１５の略中央部には、各光源部２０が取り付けられた支持部としての側板１５をＴバー１に載せ掛けるための取付金具１３を設けてある。取付金具１３は、実施の形態１の場合と同様の構成をなす。
【００３３】
側板１５の両端部には、複数の取付孔１１１を所定長離隔させて形成してある。取付孔１１１は、実施の形態１と同様に、光源部２０の取付位置を決定する位置決め部として機能する。なお、図８の例では、取付孔１１１を３つ並べて形成してあるが、取付孔１１１の数は３つに限定されるものではなく、光源部２０の取付位置を所要数の位置の中から選択するのに必要な数だけ形成することができる。
【００３４】
また、実施の形態１と同様に、光源部２０の挿通孔２１１と側板１５の取付孔１１１とはお互いに位置合わせをすることができる。図８の例では、３つの取付孔１１１のうちの近接する２つの取付孔１１１を選択し、選択した２つの取付孔１１１と光源部２０の２つの挿通孔２１１と位置合わせすることにより、光源部２０の側板１５の長手方向に沿った位置、すなわち、光源部２０と、光源部２０に対向するＴバー１（図８では不図示）との間隔ｄを所定の距離に設定することができる。なお、図８に例示するように、側板１５の取付孔１１１を選択可能な孔とする構成に代えて、光源部２０の側面部２１に形成した複数の挿通孔２１１を選択可能な孔とすることもできる。
【００３５】
（実施の形態３）
図９は実施の形態３の照明装置１４０の構成の一例を示す分解斜視図である。実施の形態２との相違点は、遮蔽板１１６を備える点である。図９に示すように、遮蔽板１１６は、断面が略Ｌ字状をなし、長さは光源部２０の長さと略同寸法である。遮蔽板１１６は、ねじ１１３により対向する側板１５それぞれに固定される。
【００３６】
図１０は遮蔽板１１６の取付状態の一例を示す説明図である。図９及び図１０に示すように、遮蔽板１１６は、側板１５の両端部に光源部２０の側面部２１に近接又は隣接して設けられる。空調レターンから流入した空気は、図１０の矢印（符号Ｒ）に示すように、遮蔽板１１６とＴバー１との間の隙間を通じて天井裏へ流れる。また、断面形状が略Ｌ字状の遮蔽板１１６を備えることにより、下方から空調レターンを見上げたときに、天井裏を視界から隠すことができる。
【００３７】
図１１は側板１５の他の例を示す説明図である。上述の実施の形態では、側板１５に複数の取付孔１１１を所定長離隔させて形成した構成であったが、かかる構成に限定されるものではなく、位置決め部として長孔１１４を設けることもできる。
【００３８】
図１１に示すように、長孔１１４は、ねじ１１２のねじ部が移動可能な程度の寸法を有する略矩形状の孔と、該孔に所定長離隔させて形成した符号Ａ、Ｂ、Ｃで示す拡径部とを有する。なお、符号Ａ〜Ｃは、位置決めのため、例えば、側板１５に刻印してもよく、符号Ａ〜Ｃを記載したラベルを貼付してもよい。
【００３９】
ねじ１１２を長孔１１４及び光源部２０の挿通孔２１１に挿通させ、締め付ける前に、ねじ１１２を略矩形状の孔を移動させて、光源部２０と側板１５との位置決めを行い、所要の位置（符号Ａ〜Ｃのいずれか）でねじ１１２を締結することにより、光源部２０の位置決め、すなわち空調レターンの大きさを容易に設定することができる。なお、図１１に示す長孔１１４は、実施の形態１の枠板１１の取付孔１１１に代えて適用することもできる。
【００４０】
（実施の形態４）
上述の実施の形態１〜３においては、照明装置の外形寸法（長さ、幅）は、格子状に施設されたＴバー１の１辺の長さと同等であるため、照明装置をＴバー１に取り付ける場合、格子状のＴバー１の対角線上に沿って照明装置を傾けて持ち上げ、一旦Ｔバー１より上側に持ち上げた状態で水平（横方向）に戻してＴバー１の上に載せ掛けていた。この場合、Ｔバー１の上方に、傾けた照明装置を持ち上げて水平に戻すだけの空間が必要である。しかし、照明装置の設置環境によっては、Ｔバー１の上方に十分な空間が存在しない場合もある。実施の形態４では、照明装置をＴバー１に取り付ける場合、照明装置を水平にしたまま格子状のＴバー１の間を持ち上げるだけで取り付けることができる。
【００４１】
図１２は実施の形態４の照明装置１６０の構成の一例を示す外観斜視図であり、図１３は実施の形態４の照明装置１６０を持ち上げた状態を示す外観斜視図であり、図１４は実施の形態４の照明装置１６０を持ち上げた状態の要部断面図であり、図１５は実施の形態４の照明装置１６０を取り付けた状態を示す外観斜視図であり、図１６は実施の形態４の照明装置１６０を取り付けた状態の要部断面図である。
【００４２】
実施の形態１〜３においては、照明装置をＴバー１に取り付けるための取付金具１３、１４を収容枠１０の枠板１１、あるいは側板１５に固定した構成であった。実施の形態４では、取付金具１６３、１６４を別個の部材とし、照明装置１６０をＴバー１に取り付ける際に照明装置１６０に嵌め込む構成としている。以下、詳細に説明する。
【００４３】
図１２に示すように、側板１６の略中央部には、各光源部２０が取り付けられた支持部としての側板１６をＴバー１に載せ掛けるための取付金具１６３を嵌め込むための開口１６１を形成してある。また、側板１６の開口１６１から両端側には、側板１６をＴバー１に載せ掛けるための取付金具１６４を嵌め込むための開口１６２を形成してある。また、側板１６の上側の縁部には、内側（裏側）の突出させた突出板１６５を設けてある。なお、空調レターン５０の大きさを設定するための構成は、実施の形態１〜３と同等であるので説明を省略する。
【００４４】
照明装置１６０では、実施の形態１〜３のように、取付金具１３、１４が枠板１１又は側板１６から外方向へ突出していないので、図１２の矢印で示すように、格子状のＴバー１に向かって照明装置１６０を水平にしたまま上方に持ち上げることができる。
【００４５】
図１３に示すように、照明装置１６０をＴバー１よりも若干上方へ持ち上げた状態で、取付金具１６３をＴバー１及び照明装置１６０の開口１６１に嵌め込み、取付金具１６４をＴバー１及び照明装置１６０の開口１６２に嵌め込む。なお、取付金具１６４を具備しない構成であってもよい。
【００４６】
より具体的には、図１４に示すように、取付金具１６３の一端側の略Ｕ字状の屈曲部１６３ｂをＴバー１の上端に嵌め込む。そして、取付金具１６３を側板１６の開口１６１に通して取付金具１６３を側板１６の内面（裏面）に当接させた状態にする。この状態では、照明装置１６０は持ち上げられているので、側板１６の上端の突出板１６５と取付金具１６３の屈曲部１６３ａは離隔している。取付金具１６４についても、取付金具１６３と同様である。
【００４７】
次に、照明装置１６０を下方に向かって徐々に下げると、図１５に示すように、照明装置１６０は、取付金具１６３、１６４によりＴバー１に載せ掛けられ、Ｔバー１に取り付けることができる。
【００４８】
より具体的には、図１６に示すように、取付金具１６３の屈曲部１６３ｂをＴバー１の上端に嵌め込んだ状態で、取付金具１６３を側板１６の内面（裏面）に沿って下方に摺動させる。そして、取付金具１６３の屈曲部１６３ａは、側板１６と突出板１６５とで画定される断面形状が略Ｌ字状の箇所に嵌め込まれ、取付金具１６３で照明装置１６０がＴバー１に取り付けられる。取付金具１６４についても、取付金具１６３と同様である。
【００４９】
実施の形態４の照明装置１６０によれば、Ｔバー１の上方に十分な空間が存在しない場合でも、照明装置を容易に取り付けることができる。
【００５０】
（実施の形態５）
上述の実施の形態では、光源部２０を支持する支持部が、収容枠１０、あるいは側板１５、１６であった。すなわち、光源部２０を収容枠１０、又は側板１５、１６を介してＴバー１に取り付ける構成であったが、かかる構成に限定されるものではない。例えば、光源部２０を直接的にＴバー１に取り付けることもできる。
【００５１】
図１７は実施の形態５の照明装置１８０の構成の一例を示す外観斜視図である。上述の実施の形態１〜４と同様、光源部２０は、ＬＥＤチップが基板に実装されたＬＥＤモジュールを備え（いずれも不図示）、４つの側面部２４１、２４２で囲まれた矩形状の箱状をなす。光源部２０の短手側の側面部２４１には、支持部としての取付金具７１が設けられている。取付金具７１は、側面部２４１から外側へ向かって突出するように設けられる取付部材であり、一方の端部がＴバー１に載せ掛けられるよう略Ｌ字状に屈曲してある。なお、取付金具７１は、光源部２０の上面に取り付けられていてもよい。
【００５２】
図１７の例では、光源部２０の長手側の側面部２４２と対向するＴバー１との間の隙間が空調レターンとなる。
【００５３】
なお、図１７の例では、Ｔバー１の高さ寸法と、光源部２０の高さ寸法が同等程度に記載され、取付金具７１の他方の端部が光源部２０の上面に固定されているが、光源部２０の高さは、照明装置の仕様又は機種等により異なり、光源部２０の形状に応じて、取付金具７１の光源部２０への固定箇所は適宜変更することができる。また、図１７の例では、格子状のＴバー１内に２個の光源部２０を取り付ける構成であるが、１個の光源部２０を取り付ける構成であってもよい。
【００５４】
図１８は実施の形態５の照明装置１８０の空調レターンの大きさの設定方法の一例を示す説明図である。図１８に示すように、光源部２０の短手側の側面部２４１には、光源部２０とＴバー１との間の離隔距離を決定する位置決め部としての規制部材８０を取り付けてある。規制部材８０の一端側には、複数の取付孔１１１を所定長離隔させて形成してある。取付孔１１１は、光源部２０の取付位置を決定する位置決め部として機能する。
【００５５】
光源部２０の短手側の側面部２４１には、ねじを挿通する複数の挿通孔（不図示）を形成してある。挿通孔の離隔寸法は、規制部材８０の取付孔１１１の離隔寸法と同一にしてある。挿通孔は、光源部２０の取付位置を決定する位置決め部として機能する。すなわち、光源部２０の挿通孔と規制部材８０の取付孔１１１とはお互いに位置合わせをすることができ、お互いに位置合わせをする挿通孔及び取付孔１１１を選択することにより、規制部材８０の光源部２０の長手側の側面部２４２からの突出長を所要の長さの中から選択することができる。規制部材８０の端部はＴバー１に当接しているので、規制部材８０の突出長が決まれば、光源部２０とＴバー１との間の空調レターン５０の大きさを設定することができる。なお、図１８に例示するように、規制部材８０の取付孔１１１を選択可能な孔とする構成に代えて、光源部２０の複数の挿通孔を選択可能な孔とすることもできる。
【００５６】
なお、規制部材８０の光源部２０への取付方法は、ねじによる方法に限定されるものではなく、規制部材８０の突出長を複数の所定長から選択して設定することができる方法であれば、嵌め込む方法、嵌合させる方法など他の方法を用いることもできる。
【００５７】
図１９は実施の形態５の照明装置１８０の要部の他の第１例を示す説明図である。図１９に示すように、光源部２０の長手側の側面部２４２に平行に、当該側面部２４２とＴバー１との間に遮蔽板９１を設けている。遮蔽板９１は、光源部２０の長さ及び高さと同等の長さ及び幅を有する板である。遮蔽板９１を規制部材８０の端部側に設けることにより、空調レターン５０を下方から見上げたときに、Ｔバー１が視界に入ることを防止することができる。照明装置の設置環境によっては、照明装置を下方から見上げた場合に、空調レターン５０から内部のＴバー１が視界に入らないようにしたいという要望もあり、かかる要望に応えることができる。
【００５８】
図２０は実施の形態５の照明装置１８０の要部の他の第２例を示す説明図である。図２０に示すように、光源部２０の長手側の側面部２４２に平行に、当該側面部２４２とＴバー１との間に遮蔽板９２を設けている。遮蔽板９２は、光源部２０の長さと同等の長さを有し、光源部２０の高さよりも長寸の幅を有し、端側を略Ｌ字状に屈曲させた板である。遮蔽板９２を規制部材８０の端部側に設け、略Ｌ字状に屈曲した屈曲部をＴバー１側から光源部２０側へ向かうように配置することにより、空調レターン５０を下方から見上げたときに、Ｔバー１だけでなく、天井裏が視界に入ることを防止することができる。照明装置の設置環境によっては、照明装置を下方から見上げた場合に、空調レターン５０から天井裏が視界に入らないようにしたいという要望もあり、かかる要望に応えることができる。また、遮蔽板９２と光源部２０の上面および側面部２４２との間に隙間を設けてあるので、空調レターン５０に流入した空気の通流を遮蔽板９２で妨げることがない。
【００５９】
図２１は実施の形態５の照明装置１８０の要部の他の第３例を示す説明図である。図２１に示すように、規制部材８０の一端側には、位置決め部として長孔８１を設けてある。長孔８１は、前述の図１１で例示したように、ねじのねじ部が移動可能な程度の寸法を有する略矩形状の孔と、該孔に所定長離隔させて形成した符号Ａ、Ｂ、Ｃで示す拡径部とを有する構成でもよい。
【００６０】
図２１Ａに示すように、ねじ（不図示）を長孔８１及び光源部２０の挿通孔（不図示）に挿通させ、締め付ける前に、規制部材８０の突出長が短くなるように規制部材８０を摺動させる。規制部材８０を光源部２０に仮止めした状態で、光源部２０を下方から格子状のＴバー１内へ持ち上げる（図２１Ａの矢印の方向）。このとき、規制部材８０の突出長を短くしているので、規制部材８０の端部がＴバー１の下端に当たることがない。
【００６１】
次に、図２１Ｂに示すように、規制部材８０の突出長が長くなるように規制部材８０を外側へ摺動させ、光源部２０とＴバー１との位置決めを行い、ねじで規制部材８０を光源部２０に固定するとともに、光源部２０を下方へ下げて（図２１Ｂの矢印の方向）、規制部材８０の端部をＴバー１に当接させるとともにＴバー１の下側の縁部に載置する。これにより、光源部２０の位置決め、すなわち空調レターン５０の複数の所定の大きさの中から所要の大きさに容易に設定することができる。また、規制部材８０を光源部２０に仮止めした状態で突出長を調整することができるので、光源部２０を容易にＴバー１に載せ掛けることができる。
【００６２】
（実施の形態６）
図２２は実施の形態６の照明装置２００の構成の一例を示す平面図である。照明装置２００は、実施の形態１と同様に、上下方向（縦方向）が開口し、対向する１組の枠板１１及び対向する１組の枠板１２で囲まれた収容枠を有する。２個の光源部２０は、それぞれ枠板１２側に配置され、光源部２０と枠板１２との間に空調レターン５０を形成してある。
【００６３】
各枠板１１の上側（光源部２０の発光面と反対側）の縁辺には枠板１１と直交する上板１７を設けている。上板１７の中央部には、平面視が矩形状の切欠き１７３を形成してある。切欠き１７３の長さは、取付金具１７２の幅寸法より若干長くしてある。また、上板１７の中央部には、枠板１１と直交する向きの長孔１７１を形成してある。
【００６４】
取付金具１７２に形成した挿通孔（不図示）及び長孔１７１にねじ（不図示）を挿通させ、ねじを緩やかに締結することで、取付金具１７２を図２２で示す矢印の方向に沿って上板１７上を摺動させることができる。取付金具１７２の端部を切欠き１７３内に収容することにより、取付金具１７２を枠板１１の内側に収めることができる。
【００６５】
図２３、図２４及び図２５は実施の形態６の照明装置２００のＴバー１への取付方法の一例を示す説明図である。まず、図２３に示すように、取付金具１７２を切欠き１７３に収容して枠体の内側に収めた状態で、格子状のＴバー１に向かって下方から、取付金具１７２の端部がＴバー１の上方にくるまで照明装置２００を持ち上げる（図２３の矢印の方向）。
【００６６】
次に、図２４に示すように、取付金具１７２を切欠き１７３から外側へ向かって摺動させて（図２４の矢印の方向）、ねじ（不図示）で上板１７に固定する。
【００６７】
次に、図２５に示すように、照明装置２００を徐々に下げて、取付金具１７２の端部１７２ａをＴバー１の上端に係止させて、照明装置２００をＴバー１に載せ掛ける。上述のように、取付金具１７２を上板１７に沿って摺動させることにより、Ｔバー１の上方に十分な空間が存在しない場合でも、照明装置２００を水平にしたまま格子状のＴバー１の間を持ち上げるだけで簡単に取り付けることができる。
【００６８】
上述のように、本実施の形態１〜６の照明装置は、光源部２０、開口部、当該開口部に隣接させた状態で光源部２０を支持する支持部、光源部２０で塞がれた開口部の残りである空調レターン５０の大きさを所定の複数の大きさから選択可能にすべく光源部２０の位置を決定する位置決め部などを備えることにより、空調レターン５０の大きさを所定に大きさに容易に設定することができる。
【００６９】
また、より具体的には、支持部は、空調レターン５０の大きさが異なる複数の位置で光源部２０を支持可能にしてあり、位置決め部は、空調レターン５０の所定の大きさに応じて、当該複数の位置から一の位置を選択して光源部２０の位置を設定するようにしてあるので、空調レターン５０の大きさを所定に大きさに容易に設定することができる。
【００７０】
上述の各実施例において記載されている構成は、お互いに組み合わせることが可能であり、組み合わせをすることにより、新しい技術的特徴を形成することができる。
【符号の説明】
【００７１】
１０  収容枠
１１、１２  枠板
１３、１４、７１、１６３、１６４、１７２  取付金具
１５、１６  側板
２０  光源部
２１、２４１、２４２  側面部
２２  透光板
２３  鍔部
３０  電源部
５０  空調レターン
８０  規制部材
１１１  取付孔
２１１  挿通孔
【図１】
2014086356.tif 000003
【図２】
2014086356.tif 000004
【図３】
2014086356.tif 000005
【図４】
2014086356.tif 000006
【図５】
2014086356.tif 000007
【図６】
2014086356.tif 000008
【図７】
2014086356.tif 000009
【図８】
2014086356.tif 000010
【図９】
2014086356.tif 000011
【図１０】
2014086356.tif 000012
【図１１】
2014086356.tif 000013
【図１２】
2014086356.tif 000014
【図１３】
2014086356.tif 000015
【図１４】
2014086356.tif 000016
【図１５】
2014086356.tif 000017
【図１６】
2014086356.tif 000018
【図１７】
2014086356.tif 000019
【図１８】
2014086356.tif 000020
【図１９】
2014086356.tif 000021
【図２０】
2014086356.tif 000022
【図２１】
2014086356.tif 000023
【図２２】
2014086356.tif 000024
【図２３】
2014086356.tif 000025
【図２４】
2014086356.tif 000026
【図２５】
2014086356.tif 000027